(57)【要約】  本発明は、臭気を発しうる医薬製剤、包装部材および化学吸着型乾燥剤を含む医薬パッケージに関する。本発明によれば、不快な臭気が低減された医薬パッケージが提供される。【選択図】図１
2010504252.tif 000002
【特許請求の範囲】
【請求項１】
臭気を発しうる医薬製剤、包装部材および化学吸着型乾燥剤を含む医薬パッケージ。
【請求項２】
化学吸着型乾燥剤が金属酸化物である、請求項１記載のパッケージ。
【請求項３】
金属酸化物がアルカリ土類金属酸化物である、請求項２記載のパッケージ。
【請求項４】
アルカリ土類金属酸化物が酸化カルシウムである、請求項３記載のパッケージ。
【請求項５】
化学吸着型乾燥剤が、包装部材を構成する材料中に含有されている、請求項１記載のパッケージ。
【請求項６】
化学吸着型乾燥剤が、包装部材により形成される内部空間に配置されている、請求項１記載のパッケージ。
【請求項７】
臭気を発しうる医薬製剤が、(5-メチル-2-オキソ-1,3-ジオキソール-4-イル)メチル基を有する化合物を含有する、請求項１記載のパッケージ。
【請求項８】
(5-メチル-2-オキソ-1,3-ジオキソール-4-イル)メチル基を有する化合物が、2-エトキシ-1-{[2'-(5-オキソ-4,5-ジヒドロ-1,2,4-オキサジアゾール-3-イル)ビフェニル-4-イル]メチル}-1H-ベンズイミダゾール-7-カルボン酸  (5-メチル-2-オキソ-1,3-ジオキソール-4-イル)メチルもしくは2-シクロプロピル-1-{[2'-(5-オキソ-4,5-ジヒドロ-1,2,4-オキサジアゾール-3-イル)ビフェニル-4-イル]メチル}-1H-ベンズイミダゾール-7-カルボン酸  (5-メチル-2-オキソ-1,3-ジオキソール-4-イル)メチル、またはその塩である、請求項７記載のパッケージ。
【請求項９】
化学吸着型乾燥剤を使用することを特徴とする、臭気を発しうる医薬製剤の臭気を低減する方法。
【発明の詳細な説明】
【技術分野】
【０００１】
本発明は、不快な臭気が低減された医薬パッケージに関する。
【発明の背景】
【０００２】
医薬化合物のなかで不快な臭気を発しうる化合物がある。例えば、ＡＣＥ阻害剤であるカプトプリル、およびビタミンＢ１欠乏症治療薬であるフルスルチアミンは、硫黄化合物由来の臭気を発する。また、抗リウマチ薬であるリマチル、および肝機能増強剤であるＬ−システインは、それらの分子内のスルフヒドリル基由来の臭気を発する。また、アンジオテンシンＩＩ受容体拮抗剤であるオルメサルタン  メドキソミルは、低分子カルボニル化合物であるビアセチル由来の臭気を発する。副作用の発生と異なり、臭気は医薬として致命的な特性ではないが、服用時の不快感は医薬としての利便性を損なう。特に、抗糖尿病薬や抗高血圧薬のような長期間服用する医薬の場合、その臭気により患者が不快に感じるので、臭気のために医薬の服用を避けようとすることが起こりうる。また、臨床試験においては、いわゆる二重盲検法を用いて、薬効をプラセボと比較することにより候補薬の薬効を評価するが、試験化合物が臭気を発すると、プラセボと化合物を識別することが容易になるため、二重盲検法において問題が生じるおそれがある。したがって、臭気を発する化合物を医薬に調製するには、できる限りその臭気を低減する必要がある。
【０００３】
不快な臭気を低減する方法としては、一般に、分解法、吸着法およびマスキング法がある。分解法は臭気物質を分解する方法であり、オゾンによる分解、触媒による分解、および化学薬剤による分解がある。吸着法は臭気物質を物理的に吸着する方法であり、合成ゼオライト、シリカゲル、シリカ−アルミナもしくは活性炭、またはそれら２種以上の混合物による吸着、高電圧を加えた電場に吸着させる方法がある。マスキング法は芳香剤などを使用して不快な臭気を感じにくくする方法である。医薬製剤に適用する観点から、通常、臭気を低減するために、合成ゼオライト、シリカゲル、シリカ−アルミナまたは活性炭と共に瓶に充填することによって、臭気物質を吸着除去することが行われている。
【０００４】
ところで、幾つかの医薬化合物は水分に対して不安定であり、そのような化合物を含有する医薬を調製するために、合成ゼオライト、シリカゲル、シリカ−アルミナまたは活性炭、あるいは酸化カルシウムのような金属酸化物を乾燥剤として使用することができる。金属酸化物による乾燥は、金属酸化物と水分との化学反応により生じていると考えられる。
【発明の概要】
【発明が解決しようとする課題】
【０００５】
発明の開示
合成ゼオライト、シリカゲル、シリカ−アルミナまたは活性炭のような乾燥剤への水分または臭気物質の吸着は、可逆反応である。その結果、パッケージ中の水分または臭気物質の含有レベルは、パッケージ中のヘッドスペースと乾燥剤による脱着−吸着との平衡に基づく。
【０００６】
換言すれば、輸送または保管中の保存環境の変化により、乾燥剤から臭気物質が脱着されることによって臭気の除去が不十分になるおそれがある。例えば、５０℃を超える環境において、または陸路または空路による輸送中の温度の変化により、いったん吸着された水分または臭気が乾燥剤の吸着能の低下により乾燥剤から脱着され、乾燥剤が元々パッケージ中に存在する水分をまず第一に吸着する。さらに、パッケージを開封したときに、十分に除去されていない臭気の大部分がヘッドスペースの水分によって鼻腔に運ばれ、臭気を感じるようにする。
【課題を解決するための手段】
【０００７】
本発明の発明者は、不快な臭気を発する化合物を含有する医薬製剤の臭気を効率よくかつ継続的に低減するために、鋭意研究を行った。その結果、本発明者は、金属酸化物のような化学吸着型乾燥剤が、医薬製剤の臭気を効果的に低減することを見出し、本発明を完成するに至った。
【０００８】
より詳細には、本発明は、
（１）臭気を発しうる医薬製剤、包装部材および化学吸着型乾燥剤を含む医薬パッケージ；
（２）化学吸着型乾燥剤が金属酸化物である、前記（１）記載のパッケージ；
（３）金属酸化物がアルカリ土類金属酸化物である、前記（２）記載のパッケージ；
（４）アルカリ土類金属酸化物が酸化カルシウムである、前記（３）記載のパッケージ；
（５）化学吸着型乾燥剤が、包装部材を構成する材料中に含有されている、前記（１）記載のパッケージ；
（６）化学吸着型乾燥剤が、包装部材により形成される内部空間に配置されている、前記（１）記載のパッケージ；
（７）臭気を発しうる医薬製剤が、(5-メチル-2-オキソ-1,3-ジオキソール-4-イル)メチル基を有する化合物を含有する、前記（１）記載のパッケージ；
（８）(5-メチル-2-オキソ-1,3-ジオキソール-4-イル)メチル基を有する化合物が、2-エトキシ-1-{[2'-(5-オキソ-4,5-ジヒドロ-1,2,4-オキサジアゾール-3-イル)ビフェニル-4-イル]メチル}-1H-ベンズイミダゾール-7-カルボン酸  (5-メチル-2-オキソ-1,3-ジオキソール-4-イル)メチル（以下、化合物Ａと略することもある）もしくは2-シクロプロピル-1-{[2'-(5-オキソ-4,5-ジヒドロ-1,2,4-オキサジアゾール-3-イル)ビフェニル-4-イル]メチル}-1H-ベンズイミダゾール-7-カルボン酸  (5-メチル-2-オキソ-1,3-ジオキソール-4-イル)メチル（以下、化合物Ｂと略することもある）、またはその塩である、前記（７）記載のパッケージ；
（９）化学吸着型乾燥剤を使用することを特徴とする、臭気を発しうる医薬製剤の臭気を低減する方法；
（１０）臭気を発しうる医薬製剤を包装部材中に保存し、化学吸着型乾燥剤が包装部材を構成する材料中に含有されることを特徴とする、前記（９）記載の方法；
（１１）臭気を発しうる医薬製剤を包装部材中に保存し、化学吸着型乾燥剤が包装部材により形成される内部空間に配置されることを特徴とする、前記（９）記載の方法などに関する。
【図面の簡単な説明】
【０００９】
【図１】図１は、図５に示したブリスター基底部品を製造するための冷間成形可能なラミネートの層構造を示す図であり、図５のII-II線に対応する断面図である。
【図２】図２は、図５に示したブリスター基底部品のための、圧力を適用することにより開封できる蓋フィルムの層構造を示す図であり、図５のIII-III線に沿う断面図である。
【図３】図３は、ブリスター基底部品のための、剥離可能な蓋フィルムの層構造を示す図である。
【図４】図４は、図１のラミネートを冷間成形することにより製造されたブリスター基底部品の平面図である。
【図５】図５は、図４のブリスター基底部品のI-I線に沿う断面図である。
【図６】図６は、図２のプッシュスルーフィルム、または、図３の剥離可能な蓋フィルムによって密封された、図５のブリスター基底部品を示す図である。
【００１０】
発明の詳細な説明
本発明で用いられる化学吸着型乾燥剤は、水分との化学反応により乾燥効果を与え得るものであればいかなるものも使用でき、例えば、アルカリ土類金属酸化物（例、酸化カルシウム（ＣａＯ）など）のような金属酸化物、アルカリ土類金属水酸化物（例、水酸化カルシウムなど）、アルカリ土類金属の硫酸塩（例、硫酸マグネシウムなど）などが挙げられる。
【００１１】
本発明において、化学吸着型乾燥剤は、医薬パッケージを構成する材料中に含有されていてもよく、または医薬パッケージの内部空間に配置されていてもよい。化学吸着型乾燥剤が医薬パッケージを構成する材料中に含有されている場合、医薬パッケージを構成する材料中の化学吸着型乾燥剤の含有量は、０．５重量％から６０重量％、好ましくは５重量％から５０重量％、より好ましくは１０重量％から４０重量％である。化学吸着型乾燥剤が医薬パッケージの内部空間に配置されている場合、医薬パッケージの内部空間中の化学吸着型乾燥剤の量は、臭気物質を除去するのに十分な量、すなわち、臭気を抑制または低減するのに十分な量であれば特に制限されない。化学吸着型乾燥剤の量は、乾燥剤の種類または形状、臭気を発しうる医薬製剤からの距離、臭気を発する化合物の量、製剤が何であるか、医薬製剤および乾燥剤が配置される空間の容積、存在するまたは発生する臭気物質の量、医薬パッケージの保存条件により変わりうる。例えば、本発明で用いられるパッケージの内部空間の容積が約２００ｍｌのとき、乾燥剤の量は約５０ｍｇから約１００ｇ、好ましくは約３００ｍｇから約５０ｇ、より好ましくは約５００ｍｇから約２０ｇである。
【００１２】
本発明において、臭気を発しうる医薬製剤を保存する包装部材は、臭気を発しうる医薬製剤を気密空間に保存しうる包装部材であればよく、包装部材は特に限定されず、ガラス瓶、プラスチック瓶などの瓶、プラスチック袋（アルミニウム、二酸化珪素（シリカ）を蒸着したものを含む）、アルミニウムラミネート袋などの包装袋、ストリップパッケージ、金属缶およびそれらの複合材料、およびブリスターパッケージなどが使用できる。
【００１３】
包装部材が瓶の場合、瓶は単層または複数層で構成されていてもよい。瓶が単層で構成されている場合、化学吸着型乾燥剤と一体化された(integrated)樹脂で成形された瓶であることが好ましい。瓶が複数層で構成されている場合、外層が高バリアー特性(high barrier property)を有する層であり、化学吸着型乾燥剤を含有する層が、コーティング、ラミネート、または化学吸着型乾燥剤と樹脂との一体化(integration)（例えば、混合）により形成された瓶であることが好ましい。
【００１４】
包装部材がブリスターパッケージである場合、ブリスター材料樹脂に、化学吸着型乾燥剤と一体化させた(integrated)樹脂を挿入することにより、包装部材を構成する材料中に化学吸着型乾燥剤を含有させることが望ましい。また、外層が高バリアー特性(high barrier property)を有する層であり、化学吸着型乾燥剤を、ブリスター材料樹脂の内部にコーティングもしくはラミネートすることにより、またはブリスター材料と直接一体化させる(integrated)（例えば、混合する）ことにより、化学吸着型乾燥剤を包装部材の材料中に含有させることも望ましい。
【００１５】
さらに、包装部材が包装袋またはストリップパッケージの場合、化学吸着型乾燥剤と一体化された(integrated)樹脂を、袋またはストリップパッケージ材料樹脂に挿入することにより、包装部材を構成する材料中に化学吸着型乾燥剤を含有させることが望ましい。また、外層が高バリアー特性(high barrier property)を有する層であり、化学吸着型乾燥剤を、袋もしくはストリップパッケージ材料樹脂の内部にコーティングもしくはラミネートすることにより、または袋もしくはストリップパッケージの材料と直接一体化させる(integrated)（例えば、混合する）ことにより、化学吸着型乾燥剤を包装部材の材料中に含有させることも望ましい。
【００１６】
本発明における臭気を発しうる医薬製剤は、それ自体が臭気を発する化合物を含有していてもよく、あるいは分解により臭気を発しうる化合物を含有していてもよい。「それ自体が臭気を発する化合物」であるか「分解により臭気を発しうる化合物」であるかを区別することが困難な化合物も多く、かような区別は本発明においては特段の意味を持たない（以下、「それ自体が臭気を発する化合物」と「分解により臭気を発しうる化合物」とを「臭気を発しうる化合物」と総称する）。
【００１７】
臭気を発しうる化合物としては、例えば、分子内に(5-メチル-2-オキソ-1,3-ジオキソール-4-イル)メチル基（いわゆるメドキソミル基）を有する化合物（例、オルメサルタン  メドキソミル、化合物Ａ、化合物Ｂなど）などが挙げられる。分子内にメドキソミル基を有する化合物は、メドキソミルエステルが徐々に切断されることにより低分子化合物の２，３−ブタンジオン（ビアセチルまたはジアセチルともいう）を発生し、この２，３−ブタンジオンが特異な臭気の原因物質であると考えられている。
【００１８】
化合物Ａの5-オキソ-4,5-ジヒドロ-1,2,4-オキサジアゾール-3-イル基には互変異性が存在することから、化合物Ａは2-エトキシ-1-{[2'-(5-オキソ-2,5-ジヒドロ-1,2,4-オキサジアゾール-3-イル)ビフェニル-4-イル]メチル}-1H-ベンズイミダゾール-7-カルボン酸  (5-メチル-2-オキソ-1,3-ジオキソール-4-イル)メチルとも表される。同様に、化合物Ｂは2-シクロプロピル-1-{[2'-(5-オキソ-2,5-ジヒドロ-1,2,4-オキサジアゾール-3-イル)ビフェニル-4-イル]メチル}-1H-ベンズイミダゾール-7-カルボン酸  (5-メチル-2-オキソ-1,3-ジオキソール-4-イル)メチルとも表される。
【００１９】
化合物Ａおよび化合物Ｂは、国際公開第2005/080384号もしくは国際公開第2006/107062号に開示された方法またはそれに準じた方法によって製造することができる。
【００２０】
臭気を発しうる化合物は、医薬的に許容される塩であってもよい。例えば、化合物が酸性官能基を有する場合には、無機塩基（例、ナトリウム、カリウム等のアルカリ金属、カルシウム、マグネシウム等のアルカリ土類金属、亜鉛、鉄、銅等の遷移金属等）や有機塩基（例、トリメチルアミン、トリエチルアミン、ピリジン、ピコリン、トロメタミン、エタノールアミン、ジエタノールアミン、トリエタノールアミン、ジシクロヘキシルアミン、ｔ−ブチルアミン、Ｎ，Ｎ’−ジベンジルエチレンジアミンなどの有機アミン類、アルギニン、リジン、オルニチンなどの塩基性アミノ酸類等）などとの塩が挙げられる。また、化合物内に塩基性官能基を有する場合には、例えば、塩酸、臭化水素酸、硝酸、硫酸、リン酸等の無機酸との塩、または酢酸、フタル酸、フマル酸、シュウ酸、酒石酸、マレイン酸、クエン酸、コハク酸、メタンスルホン酸、ｐ−トルエンスルホン酸等の有機酸との塩が挙げられる。
【００２１】
臭気を発しうる医薬製剤としては、例えば、錠剤、カプセル剤、丸剤などの経口投与に適した固形製剤が挙げられる。
【００２２】
該固形製剤は、自体公知の方法（例えば、第１４改正日本薬局方の製剤総則に記載されている方法）により製造できる。例えば、錠剤の場合は、有効成分と賦形剤（例：乳糖、白糖、ブドウ糖、でんぷん、コーンスターチ、蔗糖、微結晶セルロース、カンゾウ末、マンニトール、ソルビトール、炭酸水素ナトリウム、リン酸カルシウム、硫酸カルシウムなど）、崩壊剤（例：アミノ酸、デンプン、コーンスターチ、炭酸カルシウム、カルメロースナトリウム、クロスカルメロースカルシウム、クロスカルメロースナトリウム、低置換度ヒドロキシプロピルセルロース、クロスポビドン、カルボキシメチルスターチナトリウムなど）を加えて混合し、結合剤（例：ヒドロキシプロピルセルロース、ヒドロキシプロピルメチルセルロース、ポリビニルピロリドン、ゼラチン、デンプン、アラビアゴム、トラガント、カルボキシメチルセルロース、アルギン酸ナトリウム、プルラン、グリセリンなど）を加えて顆粒とし、これに滑沢剤（例：ステアリン酸マグネシウム、ステアリン酸カルシウム、精製タルクなど）等を加えて錠剤とする。また、顆粒剤、細粒剤においても錠剤とほぼ同様の方法で造粒を行うか、あるいはノンパレル（商品名、白糖７５％（Ｗ／Ｗ）およびコーンスターチ２５％（Ｗ／Ｗ）を含む球状顆粒）に、水または、白糖、ヒドロキシプロピルセルロース、ヒドロキシプロピルメチルセルロース等の結合剤溶液（濃度：約０．５〜７０％（Ｗ／Ｖ））を噴霧しながら、有効成分および添加剤（例：白糖、コーンスターチ、結晶セルロース、ヒドロキシプロピルセルロース、メチルセルロース、ポリビニルピロリドンなど）を含有してなる粉状散布剤をコーティングすることにより顆粒が得られる。カプセル剤の場合は、上記の顆粒剤、細粒剤をゼラチンやヒドロキシプロピルメチルセルロース等のカプセルに充填するか、もしくは、有効成分を賦形剤（例：乳糖、白糖、ブドウ糖、でんぷん、蔗糖、微結晶セルロース、カンゾウ末、マンニトール、炭酸水素ナトリウム、リン酸カルシウム、硫酸カルシウムなど）とともに、ゼラチンやヒドロキシプロピルメチルセルロース等のカプセルに充填すればよい。
【００２３】
該固形製剤は、味のマスキング、腸溶性あるいは徐放性などのためのコーティング剤でコーティングされていてもよい。コーティング剤としては、例えば、ヒドロキシプロピルメチルセルロース、エチルセルロース、ヒドロキシメチルセルロース、ヒドロキシプロピルセルロース、ポリオキシエチレングリコール、ツイーン８０、プルロニックＦ６８、セルロースアセテートフタレート、ヒドロキシプロピルメチルセルロースフタレート、ヒドロキシメチルセルロースアセテートサクシネート、オイドラギット（ローム社製、ドイツ、メタアクリル酸・アクリル酸共重合物）などが挙げられるが、必要に応じ、二酸化チタン、ベンガラ等の遮光剤を用いてもよい。
【００２４】
本発明の上記および他の目的および特徴は、添付の図面を参照して、好適な態様に関する以下の記載から明らかになる。
【００２５】
図１  図５に示したブリスター基底部品を製造するための冷間成形可能なラミネートの層構造、図５のII-II線に対応する断面図；
図２  図５に示したブリスター基底部品のための、圧力を適用することにより開封できる蓋フィルムの層構造、図５のIII-III線に沿う断面図；
図３  ブリスター基底部品のための、剥離可能な蓋フィルムの層構造；
図４  図１のラミネートを冷間成形することにより製造されたブリスター基底部品の平面図；
図５  図４のブリスター基底部品のI-I線に沿う断面図；
図６  図２のプッシュスルーフィルム、または、図３の剥離可能な蓋フィルムによって密封された、図５のブリスター基底部品。
【００２６】
図１に示すように、臭気を発しうる医薬製剤の包装用のブリスター基底部品の製造に使用される、冷間成形可能なラミネート１０は次の構造を有する。
１２  厚さ２５μｍの配向ポリアミド（ｏＰＡ）のフィルム
１４  接着剤層
１６  厚さ４５μｍのアルミニウム・ホイル
１８  結合剤（ＥＡＡ）
２１  厚さ７μｍの高密度ポリエチレン（ＨＤＰＥ）の第一の層
２０  厚さ４５μｍのポリエチレン（ＰＥ）の第二の層
２４  水分、酸素および酸の吸収剤としての３０％のＣａＯ粒子
２２  厚さ７μｍの高密度ポリエチレン（ＨＤＰＥ）の第三の層
【００２７】
ｏＰＡフィルム１２は、ラミネート１０から製造されるブリスターの外側の層を形成する；ＰＥ層２０、２１、２２は、密封層としての内側の層を形成する。
【００２８】
図２に示すように、ラミネート１０から製造されるブリスターのためのプッシュスルーフィルムとして構成された蓋フィルム３０は、次のような層構造を有する。
３２  熱シールラッカーまたは密封コーティング
３４  アルミニウム・ホイル
３６  印刷下塗りラッカー
３８  印刷
４０  印刷上塗りラッカー
【００２９】
この上塗りラッカーが施された印刷３８は、後で蓋フィルム３０の外側になる面を形成し、熱シールラッカーまたは密封コーティング３２は、ラミネート１０から製造されるブリスター基底部品の密封層２２に対して蓋フィルム３０を密封するために使用される。
【００３０】
図３に示すように、ラミネート１０から製造されるブリスター基底部品用の、剥離可能なフィルムとして構成された蓋フィルム５０は、次のような層構造を有する。
５２  熱シールラッカーまたは密封コーティング
５４  アルミニウム・ホイル
５６  接着剤層
５８  ポリエチレン−テレフタレート（ＰＥＴ）フィルム
６０  接着剤層
６２  紙
６４  印刷
６６  印刷上塗りラッカー
【００３１】
上塗りラッカー層６６が施された印刷６４は、後で剥離可能な蓋フィルム５０の外側となる部分を形成し、熱シールラッカーまたは密封コーティング５２は、ラミネート１０から製造されるブリスター基底部品のＰＥ層２２に対して、蓋フィルム５０を密封するために使用される。
【００３２】
図４に示されたブリスター基底部品７０は、ラミネート１０から製造され、例えば、錠剤を収容するためにラミネート１０から形成されるカップ７２は、例えば、パンチと金型を用いる深絞り加工によって、ラミネート１０を冷間成形することによって形成される。
【００３３】
図５および６に示すように、カップ７２に内容物を充填した後、プッシュスルー蓋フィルム３０または剥離可能な蓋フィルム５０が、ブリスター基底部品７０の上に密封され、所望のブリスター・パック８０が形成される。
【００３４】
ヨーロッパ特許出願第05405383号に記載されたブリスター基底部品およびブリスター・パックが本発明に好ましく使用することができる。
【００３５】
ブリスター基底部品の内側層はポリオレフィンで構成されるのが好ましく、内側層は、吸収材料として、アルカリ金属およびアルカリ土類金属の群から選択される酸化物を含むことが好ましい。吸収材料としては、酸化カルシウム（ＣａＯ）が特に好ましい。ポリオレフィン内側層の好ましいＣａＯ含有量は、０．５から５０重量％であり、特に１０から３０重量％のＣａＯである。
【００３６】
内側層のポリオレフィンは、高密度ポリエチレン（ＨＤＰＥ）および／または直鎖状低密度ポリエチレン（ＬＬＤＰＥ）および／または低密度ポリエチレン（ＬＤＰＥ）および／またはポリプロピレン（ＰＰ）によって構成されるのが好ましい。内側層は、アイオノマー（例、Ｓｕｒｌｙｎ（登録商標））、ＥＡＡまたはＰＰ−ＭＳＡのような酸改質ポリオレフィンの成分を含有してもよい。これらの酸改質ポリオレフィンは結合剤として機能するので、特定の場合には、個別のプライマーを省略することができる。この内側層のポリオレフィンは、単一層または複数層によって構成することができる。
【００３７】
本発明において、内側層のポリオレフィンが少なくとも二つの層からなり、これらの層のうちのアルミニウム・ホイルから最も離れた最外側層が実質的に吸収材料を含まないように構成された、ラミネート製の基底部品が特に好ましく使用される。この処置によって滑らかな表面が得られ、その結果、本発明によるラミネートの摩擦係数は従来のラミネートと同等の値になる。最外側層にはＣａＯのような添加剤が存在しないから、従来のラミネートと比較して、成形用金型や他の機械要素で加工する間にも、摩耗を生じない。
【００３８】
本発明において、内側層のポリオレフィンが少なくとも二つの層から成る共押出し層であり、これらの層のうちのアルミニウム・ホイルから最も離れた最外側層が実質的に吸収材料を含まない、ラミネート製の基底部品が、特に好ましく使用される。
【００３９】
この基底部品のラミネートにおいては、バリアー層がアルミニウム・ホイルであることが好ましく、バリアー層のポリオレフィンに面する面が、結合剤で被覆されること、特に、水性のまたは溶剤性のプライマーで被覆されること、または、高分子結合剤で被覆されることが好ましい。
【００４０】
バリアー層に最も近接して配置された最内側層は、実質的に吸収材料を含有しないことが好ましい。その結果、圧縮冷間成形工程の間にバリアー層として使用されるアルミニウム・ホイルに、吸収材料の粒子が圧入されることはない。したがって、アルミニウム・ホイルに潜在的な脆弱点が生成されないため、アルミニウム・ホイルの無細孔成形能を減少させることもない。
【００４１】
この外側層は、接着剤層を介してアルミニウム・ホイルに結合され、かつ、配向ポリアミド（ｏＰＡ）、配向ポリプロピレン（ｏＰＰ）または配向ポリエステルのプラスチックフィルムであることが好ましい。
【００４２】
本発明で用いられるブリスター・パックは、ブリスター基底部品の内側に密封され、かつ、水蒸気と気体に対する遮断壁としてのバリアー層を有する蓋フィルムと、バリアー層の第一の面に配置された密封可能な内側層を有する。
【００４３】
内側層のポリオレフィンは、単一層からなるのが好ましい。密封可能な内側層は、ラッカーの形態、特に、熱シールラッカーの形態の密封媒体と、フィルムまたは密封可能なコーティングとを有し、蓋フィルムをブリスター基底部品の内側に対して密封するために使用され、この密封を半永久的なシールにすることが可能であり、または、剥離可能な開口を形成するために、低接着力を有するシールにすることもできる。
【００４４】
バリアー層は、好ましくはアルミニウム・ホイルである。
【００４５】
臭気を発しうる医薬製剤を包装するためのブリスター・パックを製造するために、先ず、本発明によるラミネートから冷間成形によってブリスター基底部品が製造される。次いで、ブリスター基底部品に製剤を充填した後、水蒸気と気体に対する障壁としてのバリアー層を含有する蓋フィルムが、ブリスター基底部品の内側層にシールされる。
【実施例】
【００４６】
以下の実施例、比較例および試験例において、2-エトキシ-1-{[2'-(5-オキソ-4,5-ジヒドロ-1,2,4-オキサジアゾール-3-イル)ビフェニル-4-イル]メチル}-1H-ベンズイミダゾール-7-カルボン酸  (5-メチル-2-オキソ-1,3-ジオキソール-4-イル)メチル  カリウム塩（以下、化合物ａと称する）を使用した。
【００４７】
実施例
以下の実施例において、化合物ａ以外の成分（添加物）として、日本薬局方、日本薬局方外医薬品規格または医薬品添加物規格などに掲載の成分を使用することができる。
製剤Ａ
(1)化合物ａ                   21.34  mg
(2)造粒乳糖                  135.1   mg
(3)軽質無水ケイ酸              0.320 mg
(4)ステアリン酸マグネシウム    3.200 mg
【００４８】
化合物ａ、造粒乳糖、軽質無水ケイ酸、およびステアリン酸マグネシウムを混合し、カプセルに充填し、１カプセルあたり上記の処方を含有する製剤（製剤Ａ）を得た。
製剤Ａを、上記（図１、２および４〜６に示す）のＣａＯを含有するブリスターパッケージの空間に充填した。
【００４９】
比較例
製剤Ａを、乾燥剤を含まず、水分不透過性包装フィルムが水分不透過性シール材料上に熱シールされたブリスターパッケージの空間に充填した。
【００５０】
試験例
実施例および比較例で得た医薬パッケージを25℃-60%RHの条件下で６ヶ月、または40℃-75%RHの条件下で１、３または６ヶ月保存し、臭気成分のひとつであるビアセチルのブリスターパッケージ中の濃度をガスクロマトグラフィーで測定した。
ガスクロマトグラフィーの測定条件
装置：ガスクロマトグラフ  島津GC-2010
検出器：水素炎イオン化検出器
カラム：SPB-5 (SUPELCO社製; 0.53 mm i.d.×30 m; 膜厚5.0 μm)
カラム温度：80℃
キャリヤーガス：ヘリウム
流量：4.5 mL/min
注入口温度：200℃
検出器温度：260℃
注入量：0.2 mL
【００５１】
ブリスターパッケージ中のビアセチル濃度（μg/mL）の結果を表１および表２に示す。
【００５２】
【表１】
2010504252.tif 000003
【００５３】
【表２】
2010504252.tif 000004
【産業上の利用可能性】
【００５４】
本発明の医薬パッケージは、医薬の安定性試験で通常用いられる条件下で、ビアセチルの濃度を顕著に低減させ、脱臭活性を維持した。
【００５５】
したがって、本発明は、臭気を発しうる医薬製剤の製品価値を改善するのに有用である。
【００５６】
本願は、米国特許出願第60/846,732号を基礎としており、その内容は本明細書に全て包含される。
【図１】
2010504252.tif 000005
【図２】
2010504252.tif 000006
【図３】
2010504252.tif 000007
【図４】
2010504252.tif 000008
【図５】
2010504252.tif 000009
【図６】
2010504252.tif 000010
【国際調査報告】
2010504252.tif 000011
2010504252.tif 000012
2010504252.tif 000013